(57)【要約】【課題】好適な絵画を制作することができる、絵画用のカンバスを提供することを目的とする。【解決手段】カンバスは、被描画面と、遊離領域を含む。被描画面は、第一糸と、第一糸と直交する第二糸を織り込んだ織物における一方側の面であって、絵画が描画される側の面である。遊離領域は、被描画面に含まれる領域であって、所定の間隔だけ離間した第一の第一糸及び第二の第一糸の間において、第一の第一糸及び第二の第一糸の間の第三の第一糸と交差せず、第三の第一糸から遊離した第二糸の部分によって形成された領域である。【選択図】図１
2014019053.tif 000002
【特許請求の範囲】
【請求項１】
第一糸と、第一糸と直交する第二糸と、を織り込んだ織物における一方側の面であって、絵画が描画される側の被描画面と、
前記被描画面に含まれる領域であって、所定の間隔だけ離間した第一の第一糸及び第二の第一糸の間において、第一の第一糸及び第二の第一糸の間の第三の第一糸と交差せず、第三の第一糸から遊離した第二糸の部分によって形成された遊離領域と、を含むカンバス。
【請求項２】
前記被描画面は、第一種の材質による第一糸と、前記第一種の材質とは異なる第二種の材質による第二糸と、を織り込んだ織物における一方側の面で、
前記遊離領域は、前記第一種の材質による第三の第一糸から遊離した、前記第二種の材質による第二糸の部分によって形成される、請求項１に記載のカンバス。
【請求項３】
前記第二種の材質による第二糸が紙糸である、請求項２に記載のカンバス。
【請求項４】
前記遊離領域は、前記遊離領域の縁部が直線状の部分を含む、請求項１から請求項３の何れか１項に記載のカンバス。
【請求項５】
前記遊離領域は、前記遊離領域の縁部が曲線状の部分を含む、請求項１から請求項４の何れか１項に記載のカンバス。
【発明の詳細な説明】
【技術分野】
【０００１】
本発明は、第一糸と、第一糸と直交する第二糸を織り込んだ織物によって形成された絵画用のカンバスに関する。
【背景技術】
【０００２】
絵画用のカンバスに関する技術が提案されている。例えば、特許文献１には、糸を用いた絵画用カンバスが開示されている。この絵画用カンバスは、板状のベース材の一方面に下絵紙を貼り付けて絵柄が描かれた絵柄形成面とし、この絵柄形成面上に、透視可能な接着層、この透視可能な接着層に対して着脱自在となるカバーシートの順に積層して形成された構成を採用する。絵画の制作は、カバーシートを、接着層から剥がし、この接着層の表面に、透視された下絵紙に描かれた絵柄に倣って選んだ糸を貼り付けて行われる。
【０００３】
特許文献２〜特許文献４には、紙糸と、紙糸で織った油絵のカンバスに関する技術が開示されている。この他、特許文献５には、油彩画、テンペラ画、日本画、アクリル画等に使用できる和紙カンバスに関する技術が開示されている。
【先行技術文献】
【特許文献】
【０００４】
【特許文献１】国際公開第２００９／０２０１８５号
【特許文献２】特開平９−１８８９２８号公報
【特許文献３】特開２００１−２００４４１号公報
【特許文献４】特開２０１２−８７４３１号公報
【特許文献５】特開２００２−６７５９９号公報
【発明の概要】
【発明が解決しようとする課題】
【０００５】
絵画は、各色の絵具又は墨等を用いて制作され、又は、特許文献１のような色彩に応じた各色に着色された糸を用いて制作される。絵画が、公知のカンバスに前述した、絵具、墨又は着色された糸等のような彩色材のみを用いて制作されたとする。このような場合、その絵画を見た看者が受ける印象は、画家の技量に左右されると考えられる。例えば、特定のオブジェクトが斬新に描画された絵画は、看者に好適な印象を与えることが可能で、好適な絵画であると認識される場合もあると考えられる。
【０００６】
本発明は、好適な絵画を制作することができる、絵画用のカンバスを提供することを目的とする。
【課題を解決するための手段】
【０００７】
本発明の一側面は、第一糸と、第一糸と直交する第二糸と、を織り込んだ織物における一方側の面であって、絵画が描画される側の被描画面と、前記被描画面に含まれる領域であって、所定の間隔だけ離間した第一の第一糸及び第二の第一糸の間において、第一の第一糸及び第二の第一糸の間の第三の第一糸と交差せず、第三の第一糸から遊離した第二糸の部分によって形成された遊離領域と、を含むカンバスである。
【０００８】
これによれば、画家が絵画を制作する際、遊離領域を形成する第二糸の部分を利用した表現が可能となる。例えば、上述したカンバスに特定のオブジェクトが描画された絵画によれば、遊離領域を含まない公知のカンバスと絵具等のみによる絵画とは異なる印象を、看者に与えることが可能となる。遊離領域によって特定のオブジェクトを表現することができる。また、絵画の描画前、描画途中又は描画後といった所定のタイミングで、遊離領域を形成する第二糸の部分の一部又は全部を加工し、これによって、特定のオブジェクトを表現することができる。例えば、遊離領域を形成する第二糸の部分の一部又は全部を、所定の位置で、切断し、変形し及び／又は束ねる等して、特定のオブジェクトを表現することができる。
【０００９】
このカンバスは、次のようにしてもよい。前記被描画面は、第一種の材質による第一糸と、前記第一種の材質とは異なる第二種の材質による第二糸と、を織り込んだ織物における一方側の面で、前記遊離領域は、前記第一種の材質による第三の第一糸から遊離した、前記第二種の材質による第二糸の部分によって形成される、ようにしてもよい。この場合、前記第二種の材質による第二糸が紙糸である、ようにしてもよい。
【００１０】
これによれば、被描画面が備える特性を好適な状態に設定することができる。例えば、第二糸を紙糸とした場合、好適な通気姓を確保することができる。絵具又は墨のような彩色材によって被描画面に絵画が描画された場合、これをスムーズに乾燥させることができる。
【００１１】
前記遊離領域は、前記遊離領域の縁部が直線状の部分を含む、ようにしてもよい。また、前記遊離領域は、前記遊離領域の縁部が曲線状の部分を含む、ようにしてもよい。これによれば、遊離領域を好適な形状とすることができる。
【発明の効果】
【００１２】
本発明によれば、好適な絵画を制作することができる、絵画用のカンバスを得ることができる。
【図面の簡単な説明】
【００１３】
【図１】第一例のカンバスを説明する図であって、被描画面を示す。
【図２】遊離領域を形成する経糸と緯糸の関係を説明する部分断面図である。
【図３】図１に示すカンバスを用いて制作された絵画の一部を示す写真である。
【図４】第二例のカンバスを説明する図であって、被描画面を示す。
【図５】第三例のカンバスを説明する図であって、被描画面を示す。
【発明を実施するための形態】
【００１４】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００１５】
＜カンバス＞
カンバス１０について、３つのパターンを例に説明する。第二例及び第三例については、第一例のカンバス１０と相違する点を中心に説明することとし、同様の点についての説明は、適宜省略する。図１〜図５において、Ｘ方向は、緯糸２３が延在する方向であり、Ｙ方向は、経糸２０が延在する方向である。
【００１６】
＜第一例＞
第一例のカンバス１０について、図１〜図３を参照して説明する。カンバス１０は、経糸２０と緯糸２３とを織り込んだ織物によって形成される。経糸２０及び緯糸２３の各太さは、例えば、２０ｄ（デニール）〜１０００ｄ程度の範囲から適宜決定される。経糸２０及び緯糸２３の各太さは、例えば、３００ｄ程度とされる。経糸２０及び緯糸２３の各太さは同一であってもよく、又は、異なるようにしてもよい。経糸２０の材質は、公知のカンバスと同様である。例えば、経糸２０の材質は、化学繊維、具体的にはポリエステル、又は、麻又は木綿等とされる。緯糸２３の材質は、紙、又は、経糸２０と同様、化学繊維（例えば、ポリエステル）、麻又は木綿等とされる。経糸２０及び緯糸２３の各材質は、同種又は異種何れであってもよい。第一例のカンバス１０は、経糸２０がポリエステル糸で、緯糸２３が紙糸である（第二例及び第三例において同じ）。
【００１７】
カンバス１０は、図１に示すように、被描画面１２を含む。被描画面１２は、経糸２０と緯糸２３を織り込んだ織物における一方側の面であって、絵画が描画される側の面である。被描画面１２は、遊離領域１４を含む。第一例において、遊離領域１４は、図１に示すように、正方形状の四角形状である。四角形状の遊離領域１４は、被描画面１２の略中央部に形成される。なお、図１では、遊離領域１４を形成する緯糸２３の部分（以下、「緯糸部２３１」という）を除き、経糸２０及び緯糸２３（織組織）の図示を省略している（図４及び図５において同じ）。
【００１８】
遊離領域１４は、図２に示すように、所定の間隔Ｗ１だけ離間した経糸２１，２１の間において、経糸２２と交差せず、経糸２２から遊離した緯糸２３の部分（緯糸部２３１）によって形成される。経糸２２は、経糸２１，２１の間の経糸２０である。遊離領域１４を四角形状とする場合、間隔Ｗ１は、四角形状の遊離領域１４の幅Ｗ２（図１参照）に対応した幅とされる。例えば、幅Ｗ２を１５０ｍｍ程度とする場合、間隔Ｗ１もこれに対応して１５０ｍｍ程度とされる。間隔Ｗ１（幅Ｗ２）は、適宜決定される。例えば、１０ｍｍ程度又はこれ以上とされる。Ｘ方向に配列される緯糸２３それぞれにおいて、その一部が緯糸部２３１となる。緯糸２３は、Ｙ方向に複数本配列される。そのため、緯糸部２３１は、図１に示すように、Ｙ方向に繰り返して形成される。本実施形態では、経糸２１及び経糸２２を含む経糸を総称して、経糸２０という。図２は、Ｙ方向に垂直な面で断面した状態を示す。図２は、丁数が２丁である場合を例にした図である。カンバス１０を形成する織物に関し、丁数は、２丁より多い複数丁としてもよい。
【００１９】
四角形状の遊離領域１４は、１本の緯糸２３によって、Ｘ方向に緯糸部２３１を連続的に繰り返して形成し、Ｘ方向及びＹ方向に繰り返される複数の緯糸部２３１によって形成するようにしてもよい（後述する第二例における範囲ＳＢ（図４）参照）。この場合、図２に示す間隔Ｗ１は、四角形状の遊離領域１４の幅Ｗ２（図１参照）より狭い幅となる。間隔Ｗ１は、幅Ｗ２を考慮し、適宜決定される。例えば、上記同様、１０ｍｍ程度又はこれ以上とされる。緯糸部２３１は、Ｘ方向において、所定の数だけ連続的に繰り返して形成される。上述した通り、緯糸２３は、Ｙ方向にも複数本配列されるため、このような場合も、Ｘ方向に連続的に繰り返して形成される緯糸部２３１は、Ｙ方向にも繰り返して形成される。
【００２０】
第一例のカンバス１０によれば、図３に示すように、四角形状の遊離領域１４を人間の頭髪として利用した絵画を制作することができる。図３において、カンバス１０は、図１に示す状態を基準として９０°回転させた状態となっている。画家は、このような絵画を制作する場合、例えば、図１に示す状態を基準として、カンバス１０を９０°回転させ、その状態で、被描画面１２に、図３に示すようなオブジェクトを描画する。
【００２１】
画家は、例えば、描画前又は描画途中といった所定のタイミングで、人間（例えば、女の子）の頭髪の形状を意識しつつ、四角形状の遊離領域１４を形成する緯糸部２３１の所定の位置、具体的には、図１及び図３に示す、「ＰＡ」の位置をＹ方向のＹ１側からＹ２側まで、及び、「ＰＢ」の位置をＹ方向のＹ１側から中央部（Ｙ１側及びＹ２側の間）まで等を、適宜切断する。描画後、図３に示す「Ｈ」部を束ねると、制作された絵画を、後ろ髪を束ねた人間（例えば、女の子）を含むようなイメージとすることもできる。
【００２２】
＜第二例＞
第二例のカンバス１０について、図４等を参照して説明する。カンバス１０は、第一例の場合と同様の太さ及び材質の経糸２０と緯糸２３を織り込んだ織物によって形成される。経糸２０及び緯糸２３の各太さ及び各材質に関する説明は、第一例と同様であるため、省略する。カンバス１０は、図４に示すように、外縁及び内縁が相似の四角形状（例えば、長方形状）をした枠状の遊離領域１４を含む被描画面１２を含む。被描画面１２のうち、枠状の遊離領域１４の内側は、外側と同様の織組織である。
【００２３】
図４に示すような枠状の遊離領域１４は、例えば、次のようにして形成される。即ち、遊離領域１４のうち、図４に示す範囲ＳＡは、範囲ＳＡの幅Ｗ３に対応した間隔Ｗ１（図２参照）だけ離間した経糸２１，２１において、経糸２１，２１の間の経糸２２と交差せず、経糸２２から遊離した緯糸部２３１によって形成される。範囲ＳＡでは、Ｘ方向のＸ１側及びＸ２側に、幅Ｗ３の遊離領域１４の部分が形成される。従って、１本の緯糸２３によって、２つの緯糸部２３１がＸ１側及びＸ２側のそれぞれに形成される。この場合、例えば、Ｘ１側の緯糸部２３１のための経糸２１，２１のうち、Ｘ２側の経糸２１から幅Ｗ４（図４参照）に対応した距離だけ離間した位置の経糸２０と、この経糸２０から幅Ｗ３に対応した間隔Ｗ１（図２参照）だけ離間した経糸２０を、経糸２１，２１として、Ｘ２側の緯糸部２３１が再度形成される。
【００２４】
遊離領域１４のうち、図４に示す範囲ＳＢ（Ｙ方向のＹ１側及びＹ２側）は、第一例において説明したように、Ｘ方向及びＹ方向に繰り返される複数の緯糸部２３１によって形成される。この場合、間隔Ｗ１（図２参照）は、範囲ＳＢの幅Ｗ５（図４参照）より狭い幅となる。間隔Ｗ１は、幅Ｗ５を考慮し、適宜決定される。例えば、上記同様、１０ｍｍ程度又はこれ以上とされる。緯糸部２３１は、幅Ｗ５より狭い所定の幅に対応した間隔Ｗ１（図２参照）だけ離間した経糸２１，２１において、経糸２１，２１の間の経糸２２と交差せず、経糸２２から遊離した緯糸部２３１によって形成される。Ｘ方向において、緯糸部２３１は、所定の数だけ連続的に繰り返して形成される。緯糸２３は、Ｙ方向にも複数本配列されるため、緯糸部２３１は、Ｙ方向にも繰り返して形成される。
【００２５】
なお、図４に示す範囲ＳＢにおいて、Ｘ方向に隣接する２つの緯糸部２３１の間に図示された隙間（例えば、「Ｊ」部参照）は、Ｘ方向に緯糸部２３１が連続的に繰り返して形成されていることを示すためのものである。実際のカンバス１０では、この隙間の位置には、緯糸２３と交差する経糸２０の部分が配置される。
【００２６】
範囲ＳＡを、範囲ＳＢと同様、Ｘ方向及びＹ方向に繰り返される複数の緯糸部２３１によって形成するようにしてもよい。範囲ＳＢを、範囲ＳＡと同様、１本の緯糸２３を基準としたとき、緯糸部２３１がＸ方向に１つとなるようにして形成するようにしてもよい。
【００２７】
第一例のカンバス１０では、被描画面１２のうち、遊離領域１４の内側に所定のオブジェクトを含む絵画が描画されると、枠状の遊離領域１４を、描画された絵画のための枠として機能させることもできる。遊離領域１４によって、絵画における特定のオブジェクトを表現することもできる。
【００２８】
＜第三例＞
第三例のカンバス１０について、図５等を参照して説明する。カンバス１０は、第一例の場合と同様の太さ及び材質の経糸２０と緯糸２３を織り込んだ織物によって形成される。経糸２０及び緯糸２３の各太さ及び各材質に関する説明は、第一例と同様であるため、省略する。
【００２９】
カンバス１０は、図５に示すように、円形状の遊離領域１４を含む被描画面１２を含む。遊離領域１４は、被描画面１２の略中央部に形成される。円形状の遊離領域１４は、円形状の遊離領域１４の幅に対応した間隔Ｗ１（図２参照）だけ離間した経糸２１，２１において、経糸２１，２１の間の経糸２２と交差せず、経糸２２から遊離した緯糸部２３１によって形成される。
【００３０】
円形状の遊離領域１４の幅とは、Ｙ方向の各位置に応じたＸ方向の幅である。円形状の遊離領域１４では、遊離領域１４の幅は、円の中心を通るＸ方向の中心線Ｌを基準として、Ｙ１側及びＹ２側の各方向に、漸次、短くなる。従って、円形状の遊離領域１４では、経糸２１，２１は、円弧形状に対応して、Ｙ方向の位置毎に変化する。例えば、中心線Ｌの位置では、円の直径φ６に対応した間隔Ｗ１（図２参照）だけ離間した２本の経糸２０がそれぞれ、経糸２１，２１となる。
【００３１】
円形状の遊離領域１４についても、上記同様、Ｘ方向及びＹ方向に繰り返される複数の緯糸部２３１によって形成するようにしてもよい（例えば、上述した第二例における範囲ＳＢ（図４）参照）。第三例についても、間隔Ｗ１は、円形状の遊離領域１４の幅を考慮し、適宜決定される。例えば、上記同様、１０ｍｍ程度又はこれ以上とされる。
【００３２】
第三例のカンバス１０では、円形状の遊離領域１４を利用して、外縁が円形状である所定のオブジェクトを表現することができる。例えば、円形状の遊離領域１４を利用して、「満月」又は「日の丸」を表現することができる。円形状の遊離領域１４を形成する緯糸部２３１を所定の位置で切断等して、特定のオブジェクトを表現することもできる。
【００３３】
＜カンバスの製造方法＞
第一例〜第三例のカンバス１０（図１、図４及び図５参照）は、上述した通り、経糸２０と緯糸２３を織り込んだ織物によって形成される。カンバス１０を形成する織物は、例えば、綾織りされる。経糸２０と緯糸２３の織り込みには、例えば、電子的に制御されたジャガード織機が用いられる。ジャガード織機では、ジャガード織機にセットされた複数の経糸２０のうち、所定の各経糸２０を開口し、これによって形成された杼口に緯糸２３を挿入する等して、経糸２０と緯糸２３が織り込まれ、織物が形成される。丁数は複数丁、例えば、２丁とされる（図２で、奥行方向（図１等における「Ｙ方向」に対応）に重なった状態で示す２本の「緯糸２３」参照）。
【００３４】
上述した通り、遊離領域１４では、緯糸２３は、所定の間隔Ｗ１だけ離間した経糸２１，２１の間において、この間の経糸２２に織り込まれない。例えば、カンバス１０を形成する織物の丁数が２丁である場合（図２参照）、遊離領域１４の下方に形成された布地部（図２に示す２本の「緯糸２３」のうち、奥側に図示された「緯糸２３」と「経糸２０」によって形成）の厚みは、遊離領域１４を除く被描画面１２の部分の厚みより薄くなる。
【００３５】
カンバス１０を形成する織物は、既に実用化されたジャガード織機のような織機によって織ることができる。従って、カンバス１０を形成する織物の製造方法に関し、この他の説明は省略する。なお、カンバス１０を形成する織物は、平織りされたものであってもよい。また、使用される織機は、電子制御されていないジャガード織機、又は、ジャガード織機とは異なるタイプの織機（例えば、ドビー若しくはカム、又は、手動織機）であってもよい。
【００３６】
カンバス１０も、公知のカンバスと同様、被描画面１２の一部（例えば、遊離領域１４を除く部分）又は全部、又は、被描画面１２の裏側となるカンバス１０の面（以下「裏面」という）に、所定の加工が施されたカンバスとしてもよい。例えば、ドーサ液を塗るようにしてもよい。裏面に裏打ちを施すようにしてもよい。カンバス１０は、例えば、水等によってその全体を濡らし、その後、濡れたカンバス１０を絞る等して、被描画面１２にしわを形成した形態としてもよい。しわの形成は、これとは異なる方法によってもよい。
【００３７】
＜本実施形態による効果＞
本実施形態によれば、次のような効果を得ることができる。
【００３８】
（１）被描画面１２に遊離領域１４を形成することとした。そのため、画家が絵画を制作する際、経糸２２から遊離した緯糸部２３１を利用した表現が可能となる。例えば、カンバス１０に特定のオブジェクトが描画された絵画（例えば、図３参照）によれば、公知のカンバスと絵具等のみによる絵画とは異なる印象を、看者に与えることが可能となる。例えば、カンバス１０を用いた絵画によれば、３次元的な印象を、看者に与えることが可能となる。
【００３９】
また、絵画の描画前、描画途中又は描画後といった所定のタイミングで、緯糸部２３１の一部又は全部を加工し、これによって、特定のオブジェクトを表現することができる。例えば、緯糸部２３１の一部又は全部を、所定の位置で、切断し、変形し及び／又は束ねる等して、特定のオブジェクトを表現することができる（図３参照）。遊離領域１４をそのまま利用し、特定のオブジェクトを表現することもできる。
【００４０】
（２）緯糸２３を紙糸とすることで、好適な通気性を有する被描画面１２とすることができる。経糸２０及び／又は緯糸２３の糸密度を高めた場合にも、通気姓を確保し易くすることができる。絵具又は墨のような彩色材によって被描画面１２に絵画が描画された場合、これをスムーズに乾燥させることができる。
【００４１】
＜変形例＞
本実施形態は、次のようにすることもできる。
【００４２】
（１）上記では、図１及び図４に示すように縁部が直線状となる形状の遊離領域１４と、図５に示すように縁部が曲線状となる形状の遊離領域１４を例として説明した。遊離領域１４の形状は、これらとは異なる各種の形状とすることもできる。例えば、四角形以外の多角形状若しくは楕円状、又は、直線及び曲線を組み合わせた所定の形状としてもよい。絵画に含めようとする特定のオブジェクトに対応した形状としてもよい。各種の形状を実現することができる。このような構成によっても、上記同様の効果を得ることができる。
【００４３】
（２）上記では、緯糸２３の材質とし紙を例示し、緯糸２３が紙糸である場合を例に説明した。経糸２０についても、緯糸２３と同様、紙糸としてもよい。これによれば、被描画面１２の全面において、より好適な通気姓を確保することができる。
【００４４】
（３）上記では、経糸２０と緯糸２３とを織り込んだ織物における一方側の面であって、絵画が描画される側の被描画面１２と、被描画面１２に含まれる領域であって、所定の間隔Ｗ１だけ離間した経糸２１，２１の間において、経糸２１，２１の間の経糸２２と交差せず、経糸２２から遊離した緯糸部２３１によって形成された遊離領域１４と、を含むカンバス１０を例に説明した。
【００４５】
遊離領域１４は、経糸２０の部分によって形成するようにしてもよい。即ち、経糸２０と緯糸２３とを織り込んだ織物における一方側の面であって、絵画が描画される側の被描画面１２と、被描画面１２に含まれる領域であって、所定の間隔（図２に示す「間隔Ｗ１」に相当する間隔）だけ離間した第一の緯糸２３及び第二の緯糸２３の間において、第一の緯糸２３及び第二の緯糸２３の間の第三の緯糸２３と交差せず、第三の緯糸２３から遊離した経糸２０の部分によって形成された遊離領域１４と、を含むカンバス１０としてもよい。このようなカンバス１０を形成する織物は、既に実用化されたジャガード織機のような織機によって織ることができる。このようなカンバス１０を形成する織物の製造方法についての説明は省略する。
【符号の説明】
【００４６】
１０  カンバス
１２  被描画面
１４  遊離領域
２０，２１，２２  経糸
２３  緯糸
２３１  緯糸部
【図１】
2014019053.tif 000003
【図２】
2014019053.tif 000004
【図４】
2014019053.tif 000005
【図５】
2014019053.tif 000006
【図３】
2014019053.tif 000007